(57)【要約】【課題】８ｃｍの光ディスクにアダプタを装着し回転させると、重心バランスのずれによる振動の発生や、ディスク外周の歪等が発生するため、ディスク径及びアダプタ装着ディスクを判別し適切な処理を行う必要がある。【解決手段】ディスク状記憶媒体を非回転状態で、内周付近、及びアダプタに対向する外周付近でデータ面の有無を検出し、内周付近でデータ面を検出した場合には更にディスク回転手段を回転させてディスクのイナーシャを測定することによりディスクの有無および、ディスクが１２ｃｍ、８ｃｍ、アダプタ付き８ｃｍディスク状記録媒体のいずれであるかを判別する。【選択図】図１
2009015939.tif 000002
【特許請求の範囲】
【請求項１】
情報が記録された第１のディスク状記録媒体と、該第１のディスク状記録媒体よりも小径で外周に環状のアダプタが嵌合された第２のディスク状記録媒体とを装填、記録、再生可能で、
前記第１または第２のディスク状記録媒体を装置内に引き込み、ディスク装着部に装着するディスク装着手段と、
装着した前記ディスク状記録媒体を回転させるディスク回転手段と、
前記ディスク状記録媒体に記憶された情報を光学的に読み取るピックアップと、
前記ピックアップを前記ディスク状記録媒体の半径方向に移動させるピックアップ移動手段と、
を有する光ディスク装置において、
前記ディスク回転手段を非回転状態で、前記ピックアップを前記ピックアップ移動手段を制御してディスク状記録媒体の内周付近に移動させ、前記ピックアップによりフォーカスサーチを行い、前記ディスク状記録媒体の内周部の記録データ面の有無を検出し、
前記内周部のデータ面を検出した場合には、前記ディスク回転手段を非回転状態で、前記ピックアップを前記ピックアップ移動手段を制御してディスク状記録媒体の外周付近に移動させ、前記ピックアップによりフォーカスサーチを行い、前記ディスク状記録媒体の外周部の記録データ面の有無を検出し、
前記内周部のデータ面無し、を検出した場合にはディスク無し、
前記内周部のデータ面有りを検出しかつ、前記外周部のデータ面有りを検出した場合には前記第１のディスク状記録媒体が装填されたことを、
前記内周部のデータ面有りを検出しかつ、前記外周部のデータ面無し、を検出しかつ、前記標準径ディスク状記録媒体であることを検出した場合には前記第２のディスク状記録媒体が装填されたことを、
判別するアダプタ装着ディスク判別手段を備えることを特徴とする光ディスク装置。
【請求項２】
請求項１記載の光ディスク装置において、さらに、前記第１のディスク状記録媒体より小径である第３のディスク状記録媒体を装填、記録、再生可能であり、
前記アダプタ装着ディスク判別装置は、
前記内周部のデータ面有りを検出しかつ、前記外周部のデータ面無し、を検出しかつ、前記小径ディスク状記録媒体であることを検出した場合には前記第３のディスク状記録媒体が装填されたことを判別することを特徴とする光ディスク装置。
【請求項３】
請求項１または２に記載の光ディスク装置において、前記アダプタ装着ディスク判別手段は、
前記ディスク回転手段を非回転状態で、前記ピックアップを前記ピックアップ移動手段を制御してディスク状記録媒体の外周付近に移動させ、前記ピックアップによりフォーカスサーチを行った際に、
前記ディスク状記録媒体の外周部にて記録データ面無し、を検出した場合には、
前記ディスク回転手段を一定時間回転させたのちに停止させ、再度前記ピックアップによりフォーカスサーチを行って記録データ面の有無を検出する動作を複数回行い、そのいずれでも記録データ面無し、を検出した場合に、記録データ面なしと判断すること、
を特徴とする光ディスク装置。
【請求項４】
請求項１または２に記載の光ディスク装置において、前記アダプタ装着ディスク判別手段は、
一旦ディスクの種類を判別してそれぞれのディスクに対応する設定を行った後に起動処理を行い、ディスク情報を取得し、取得したディスク情報のうちディスク容量に関する情報が、前記第１のディスク状記録媒体と前記第２のディスク状記録媒体を誤判別していることを示した場合には、強制的に正しい方のディスク状記録媒体に対応する設定を行った後に再起動を行うこと、
を特徴とする光ディスク装置。
【請求項５】
請求項１または２に記載の光ディスク装置は更に、
前記アダプタ装着ディスク判別手段が、前記第２のディスク状記録媒体が装填されたことを検出した場合には、起動処理を中断する起動処理中断手段 を備えること
を特徴とする光ディスク装置。
【請求項６】
請求項１または２に記載の光ディスク装置は、単一の前記ピックアップにより、再生時の前記ピックアップのレンズとディスクの作動距離が異なる複数種類のディスクを記録・再生可能で、更に、
前記レンズとディスクの作動距離が異なるディスクの種類を判別する作動距離判別手段と、
前記アダプタ装着ディスク判別手段が、前記第２のディスク状記録媒体が装填されたことを検出し、かつ前記作動距離判別手段が作動距離が一定以下のディスクが装填されたことを検出した場合には、起動処理を中断する起動処理中断手段を備えること
を特徴とする光ディスク装置。
【請求項７】
請求項６記載の光ディスク装置において、記録・再生可能な作動距離の異なるディスクは、ＣＤ、ＤＶＤまたはＨＤＤＶＤ、ＢＤ規格のディスクで、
前記アダプタ装着ディスク判別手段が、前記第２のディスク状記録媒体が装填されたことを検出し、かつ前記作動距離判別手段がＣＤまたはＢＤ規格のディスクが装填されたことを検出した場合には、起動処理を中断する起動処理中断手段を備えること
を特徴とする光ディスク装置。
【請求項８】
請求項６記載の光ディスク装置において、記録・再生可能な作動距離の異なるディスクは、ＣＤ、ＤＶＤまたはＨＤＤＶＤ、ＢＤ規格のディスクで、
前記アダプタ装着ディスク判別手段が、前記第２のディスク状記録媒体が装填されたことを検出し、かつ前記作動距離判別手段がＢＤ規格のディスクが装填されたことを検出した場合には、起動処理を中断する起動処理中断手段を備えること
を特徴とする光ディスク装置。
【請求項９】
請求項１または２に記載の光ディスク装置において、前記アダプタ装着ディスク判別手段は、
前記ディスク回転手段を非回転状態で、前記ピックアップによりフォーカスサーチを行い、前記ディスク状記録媒体の内周または外周部の記録データ面の有無の検出は、フォーカスサーチ時のフォーカスエラー信号の一定レベル以上のＳ字信号の個数をもとに行うこと、
を特徴とする光ディスク装置。
【請求項１０】
請求項１または２に記載の光ディスク装置において、前記アダプタ装着ディスク判別手段は、
前記ディスク回転手段を非回転状態で、前記ピックアップによりフォーカスサーチを行い、前記ディスク状記録媒体の内周部の記録データ面の有無の検出は、フォーカスサーチ時のフォーカスエラー信号の一定レベル以上のＳ字信号の個数をもとに行い、
外周部の記録データ面の有無の検出は、前記内周部で検出したＳ字信号のうち最大のものと、外周部で検出したＳ字信号のうち最大のもののレベルの比をもとに行うこと、
を特徴とする光ディスク装置。
【請求項１１】
請求項３に記載の光ディスク装置は、単一の前記ピックアップにより、異なる規格の複数種類のディスクを記録・再生可能で、更に、
前記異なる規格のディスクの種類を判別するディスク判別手段を備え、
前記アダプタ装着ディスク判別手段は、
前記ディスク回転手段を非回転状態で、前記ピックアップを前記ピックアップ移動手段を制御してディスク状記録媒体の外周付近に移動させ、前記ピックアップによりフォーカスサーチを行った際に、
前記ディスク状記録媒体の外周部にて、記録データ面無し、を検出し、かつディスク判別手段が予め定めた特定のディスクが装填されたことを検出した場合には、
前記ディスク回転手段を一定時間回転させたのちに停止させ、再度前記ピックアップによりフォーカスサーチを行って記録データ面の有無を検出する動作を複数回行い、そのいずれでも記録データ面無し、を検出した場合に、記録データ面なしと判断すること、
を特徴とする光ディスク装置。
【請求項１２】
情報が記録された第１のディスク状記録媒体と、該第１のディスク状記録媒体よりも小径で外周に環状のアダプタが嵌合された第２のディスク状記録媒体とを装填、記録、再生可能で、
前記第１または第２のディスク状記録媒体を装置内に引き込み、ディスク装着部に装着するディスク装着手段と、
装着した前記ディスク状記録媒体を回転させるディスク回転手段と、
前記ディスク状記録媒体に記憶された情報を光学的に読み取るピックアップと、
前記ピックアップを前記ディスク状記録媒体の半径方向に移動させるピックアップ移動手段と、
を有する光ディスク装置において、
前記ディスク回転手段を非回転状態で、前記ピックアップを前記ピックアップ移動手段を制御してディスク状記録媒体の内周付近に移動させ、前記ピックアップによりフォーカスサーチを行い、前記ディスク状記録媒体の内周部の記録データ面の有無を検出するステップと、
前記内周部のデータ面を検出した場合には、前記ディスク回転手段を非回転状態で、前記ピックアップを前記ピックアップ移動手段を制御してディスク状記録媒体の外周付近に移動させ、前記ピックアップによりフォーカスサーチを行い、前記ディスク状記録媒体の外周部の記録データ面の有無を検出し、
前記内周部にてデータ面無し、を検出した場合にはディスク無し、
前記内周部のデータ面有りを検出しかつ、前記外周部のデータ面有りを検出した場合には前記第１のディスク状記録媒体が装填されたことを、
前記内周部のデータ面有りを検出しかつ、前記外周部にてデータ面無し、を検出しかつ、前記標準径ディスク状記録媒体であることを検出した場合には前記第２のディスク状記録媒体が装填されたことを、
判別するステップと、
を有することを特徴とする光ディスク装置のアダプタ装着ディスク判別方法。
【請求項１３】
請求項１２の光ディスク装置のアダプタ装着ディスク判別方法において、さらに、前記第１のディスク状記録媒体より小径である第３のディスク状記録媒体を、
前記内周部のデータ面有りを検出しかつ、前記外周部のデータ面無し、を検出しかつ、前記小径ディスク状記録媒体であることを検出した場合には前記第３のディスク状記録媒体が装填されたことを判別するステップを有することを特徴とする光ディスク装置のアダプタ装着ディスク判別方法。
【請求項１４】
請求項１２または１３に記載のアダプタ装着ディスク判別方法において、
前記ディスク状記録媒体の外周部の記録データ面の有無を検出するステップは、
前記ディスク回転手段を非回転状態で、前記ピックアップを前記ピックアップ移動手段を制御してディスク状記録媒体の外周付近に移動させ、前記ピックアップによりフォーカスサーチを行った際に、前記ディスク状記録媒体の外周部にて記録データ面無し、を検出した場合には、前記ディスク回転手段を一定時間回転させたのちに停止させ、再度前記ピックアップによりフォーカスサーチを行って記録データ面の有無を検出する動作を複数回行い、そのいずれでも記録データ面無し、を検出した場合に、記録データ面なしと判断すること、
を特徴とする光ディスク装置のアダプタ装着ディスク判別方法。
【請求項１５】
請求項１２または１３に記載のアダプタ装着ディスク判別方法は更に、
一旦ディスクの種類を判別してそれぞれのディスクに対応する設定を行った後に起動処理を行い、ディスク情報を取得し、取得したディスク情報のうちディスク容量に関する情報が、前記第１のディスク状記録媒体と前記第２のディスク状記録媒体を誤判別していることを示した場合には、強制的に正しい方のディスク状記録媒体に対応する設定を行った後に再起動を行うステップと、
を有することを特徴とする光ディスク装置のアダプタ装着ディスク判別方法。
【請求項１６】
請求項１２または１３に記載のアダプタ装着ディスク判別方法は更に、
前記第２のディスク状記録媒体が装填されたことを検出した場合には、起動処理を中断するステップと、
を有することを特徴とする光ディスク装置のアダプタ装着ディスク判別方法。
【請求項１７】
請求項１２または１３に記載のアダプタ装着ディスク判別方法において、前記光ディスク装置は、単一の前記ピックアップにより、再生時の前記ピックアップのレンズとディスクの作動距離が異なる複数種類のディスクを記録・再生可能で、
更に、
前記レンズとディスクの作動距離が異なるディスクの種類を判別するステップと、
前記第２のディスク状記録媒体が装填されたことを検出し、かつ作動距離が一定以下のディスクが装填されたことを検出した場合には、起動処理を中断するステップと、
を有することを特徴とする光ディスク装置のアダプタ装着ディスク判別方法。
【請求項１８】
請求項１７記載のアダプタ装着ディスク判別方法において、前記光ディスク装置が記録・再生可能な作動距離の異なるディスクは、ＣＤ、ＤＶＤまたはＨＤＤＶＤ、ＢＤ規格のディスクで、
前記起動処理を中断するステップは、前記第２のディスク状記録媒体が装填されたことを検出し、かつＣＤまたはＢＤ規格のディスクが装填されたことを検出した場合に、起動処理を中断すること、
を特徴とする光ディスク装置のアダプタ装着ディスク判別方法。
【請求項１９】
請求項１７記載のアダプタ装着ディスク判別方法において、前記光ディスク装置が記録・再生可能な作動距離の異なるディスクは、ＣＤ、ＤＶＤまたはＨＤＤＶＤ、ＢＤ規格のディスクで、
前記起動処理を中断するステップは、前記第２のディスク状記録媒体が装填されたことを検出し、かつＢＤ規格のディスクが装填されたことを検出した場合に、起動処理を中断すること
を特徴とする光ディスク装置のアダプタ装着ディスク判別方法。
【請求項２０】
請求項１２または１３に記載のアダプタ装着ディスク判別方法において、
前記ディスク状記録媒体の内周または外周部の記録データ面の有無を検出するステップは、
前記ディスク回転手段を非回転状態で、前記ピックアップによりフォーカスサーチを行い、前記ディスク状記録媒体の内周または外周部の記録データ面の有無の検出は、フォーカスサーチ時のフォーカスエラー信号の一定レベル以上のＳ字信号の個数をもとに行うこと、
を特徴とする光ディスク装置のアダプタ装着ディスク判別方法。
【請求項２１】
請求項１２または１３に記載のアダプタ装着ディスク判別方法において、
前記ディスク状記録媒体の内周部の記録データ面の有無を検出するステップは、前記ディスク回転手段を非回転状態で、前記ピックアップによりフォーカスサーチを行い、前記ディスク状記録媒体の内周部の記録データ面の有無の検出は、フォーカスサーチ時のフォーカスエラー信号の一定レベル以上のＳ字信号の個数をもとに行い、
前記ディスク状記録媒体の外周部の記録データ面の有無を検出するステップは、前記内周部で検出したＳ字信号のうち最大のものと、外周部で検出したＳ字信号のうち最大のもののレベルの比をもとに行うこと、
を特徴とする光ディスク装置のアダプタ装着ディスク判別方法。
【請求項２２】
請求項１４に記載のアダプタ装着ディスク判別方法において、前記光ディスク装置は、単一の前記ピックアップにより、異なる規格の複数種類のディスクを記録・再生可能で、
更に、
前記異なる規格のディスクの種類を判別するステップと
を有し、
前記ディスク状記録媒体の外周部の記録データ面の有無を検出するステップは、記ディスク回転手段を非回転状態で、前記ピックアップを前記ピックアップ移動手段を制御してディスク状記録媒体の外周付近に移動させ、前記ピックアップによりフォーカスサーチを行った際に、前記ディスク状記録媒体の外周部にて記録データ面無し、を検出し、かつ前記ディスクの種類を判別するステップの判別結果により、予め定めた特定のディスクが装填されたことを検出した場合には、
前記ディスク回転手段を一定時間回転させたのちに停止させ、再度前記ピックアップによりフォーカスサーチを行って記録データ面の有無を検出する動作を複数回行い、そのいずれでも記録データ面無し、を検出した場合に、記録データ面なしと判断すること、
を特徴とする光ディスク装置のアダプタ装着ディスク判別方法。
【発明の詳細な説明】
【技術分野】
【０００１】
本発明は、光ディスク装置に係り、特に通常のディスクよりも直径の小さいディスク状記録媒体の外周に環状に形成されたアダプタを嵌合させたディスクを、装置に装着する際にアダプタ付きのディスクであるか否かを判別する技術に関する。
【背景技術】
【０００２】
例えば、ＣＤ、ＤＶＤ等のディスク状記録媒体が装着される光ディスク装置においては、ディスク状記録媒体をトレーに載置したり、あるいはカートリッジに収納させずに直接ディスク挿入口に挿入させるダイレクトスロットイン機構を有するものがある。この種の光ディスク装置では、ディスク状記録媒体がディスク挿入口に挿入されると、ディスク状記録媒体の外周が把持されて自動的に所定装着位置までディスク状記録媒体を引き込むディスク装着機構が設けられている。
【０００３】
また、記録媒体がＣＤ、ＤＶＤ規格のディスクの場合、直径８ｃｍの小径ディスクと直径１２ｃｍのディスクとがある。通常、直径１２ｃｍのディスクが多く使用されているが、なかには外径の小さい直径８ｃｍのディスクもある。そのため、直径８ｃｍのディスク又は直径１２ｃｍのディスクであることを検出して夫々サイズの異なるディスクを個別にガイドして装着させるディスク装着機構を有する光ディスク装置がある。この場合、各サイズを検出するためにセンサと、ディスクの直径に応じたディスクガイドや各ディスクの外径に対応した把持機構が必要であった。
【０００４】
従って、アダプタを使用せずに直径８ｃｍのディスク及び直径１２ｃｍのディスクが直接装着できる構成とされた光ディスク装置では、装着機構が複雑化してしまい、製造コストが高価になってしまう可能性が高かった。また、ＣＤ、ＤＶＤ規格のディスクの場合、通常、直径１２ｃｍのディスクが装着されるため、ディスク装着機構の把持部材は直径１２ｃｍの外周を把持するように寸法及び取付位置が決められている。そのため、直径８ｃｍのＣＤ−ＲＯＭを装着する場合は、内径が８ｃｍで外径が１２ｃｍとされた環状のアダプタを外周に嵌合させる。これにより、直径８ｃｍのＣＤ−ＲＯＭの外径が見かけ上直径１２ｃｍとなり、ディスク装着機構の把持部材に対応することができる。尚、アダプタは、合成樹脂製の薄いドーナツ状に形成され、内周に直径８ｃｍディスクの外周に係合される爪部が１２０度毎に設けられている。
【０００５】
このように直径８ｃｍのディスクの場合は、環状のアダプタを外周に嵌合させることにより、ダイレクトスロットイン機構を有する光ディスク装置に装着することが可能になる。
【０００６】
しかしながら、前記アダプタを装着することにより、ディスク全体の重心バランスがずれて振動が発生したり、８ｃｍディスクの外周部に歪が生じ、高速での記録、再生に問題が発生する場合がある。また、最外周付近のデータを記録、再生中には光ディスクドライブのレンズを保護するためのプロテクタ部分が。上記アダプタの爪に対向する形となり、振動、衝撃などなんらかの原因でフォーカスサーボが外れた場合には、アダプタの爪にレンズプロテクタが引っかかり、光ピックアップのレンズ部を駆動するアクチュエータを損傷する恐れがある。更に、近年登場した次世代光ディスクであるＢｌｕ−ｒａｙ  Ｄｉｓｃでは、ディスクのカバー層０．１ｍｍ（ＣＤは１．２ｍｍ、ＤＶＤは０．６ｍｍ）、ＮＡ０．８５、波長４０５ｎｍという規格であるため、フォーカスＯＮ中のディスクとレンズの距離が０．３ｍｍ程度と非常に狭く、最外周を記録再生しようとしただけで、前記レンズプロテクタがアダプタの爪に接触してしまう可能性が高い為、アダプア付きのディスクを判別して記録、再生速度を制限する、記録、再生、またはディスクの回転そのものを禁止する必要がある。
【０００７】
特開平１１−０２５５８１では、ディスク情報（ＴＯＣ）により、データ容量を判別して、データ容量が少なく、８ｃｍディスクであると思われる場合に、アダプタに対向する位置までピックアップを移動してフォーカスＯＮ出来るか否かによってアダプタ装着ディスクであるかどうかを判別している。
【特許文献１】特開平１１−０２５５８１号公報
【発明の開示】
【発明が解決しようとする課題】
【０００８】
ＴＯＣ情報を取得する為には、ディスクを回転させる必要があるが、そののちアダプタに対向する位置に移動してフォーカスＯＮしようとしたり、フォーカスサーチによって記録面の有無を判別しようとした際に、ディスクが回転した状態だとアダプタの爪や、アダプタ部の凹凸に引っかかってアクチュエータを損傷する恐れがある。アクチュエータの損傷を確実に防ぐためには、ＴＯＣ情報取得後に、ディスクを停止する必要があるが、処理が煩雑になるとともに、余分な時間がかかってしまう。
【０００９】
また、記録を行う光ディスク装置ではディスク情報を取得する前に、ディスク自体のそりや傾きによる影響を学習して緩和する為に、フォーカスＯＮ状態でディスク面を半径位置毎にサーチして、フォーカス駆動値の平均値を学習する処理や、複数回追記を行ったディスクに対して、２番目、３番目のディスク情報を取得する為にディスクの最外周付近まで移動する必要がある場合があり、このときにも、最外周付近でアダプタの爪にピックアップのレンズプロテクタが接触してしまう恐れがある。
【課題を解決するための手段】
【００１０】
上記した課題を解決するために、本発明の光ディスク装置は、情報が記録された第１のディスク状記録媒体と、該第１のディスク状記録媒体よりも小径で外周に環状のアダプタが嵌合された第２のディスク状記録媒体とを装填、記録、再生可能で、前記第１または第２のディスク状記録媒体を装置内に引き込み、ディスク装着部に装着するディスク装着手段と、装着した前記ディスク状記録媒体を回転させるディスク回転手段と、前記ディスク状記録媒体に記憶された情報を光学的に読み取るピックアップと、前記ピックアップを前記ディスク状記録媒体の半径方向に移動させるピックアップ移動手段と、を有する光ディスク装置において、前記ディスク回転手段を非回転状態で、前記ピックアップを前記ピックアップ移動手段を制御してディスク状記録媒体の内周付近に移動させ、前記ピックアップによりフォーカスサーチを行い、前記ディスク状記録媒体の内周部の記録データ面の有無を検出し、前記内周部のデータ面を検出した場合には、前記ディスク回転手段を非回転状態で、前記ピックアップを前記ピックアップ移動手段を制御してディスク状記録媒体の外周付近に移動させ、前記ピックアップによりフォーカスサーチを行い、前記ディスク状記録媒体の外周部の記録データ面の有無を検出し、前記内周部のデータ面無し、を検出した場合にはディスク無し、前記内周部のデータ面有りを検出しかつ、前記外周部のデータ面有りを検出した場合には前記第１のディスク状記録媒体が装填されたことを、前記内周部のデータ面有りを検出しかつ、前記外周部のデータ面無し、を検出しかつ、前記標準径ディスク状記録媒体であることを検出した場合には前記第２のディスク状記録媒体が装填されたことを、判別するアダプタ装着ディスク判別手段を備えること、を特徴とするものである。
【００１１】
また、本発明の光ディスク装置は、前記第１のディスク状記録媒体より小径である第３のディスク状記録媒体を装填、記録、再生可能であり、前記アダプタ装着ディスク判別装置は、前記内周部のデータ面有りを検出しかつ、前記外周部のデータ面無し、を検出しかつ、前記小径ディスク状記録媒体であることを検出した場合には前記第３のディスク状記録媒体が装填されたことを判別することを特徴とするものである。
【００１２】
また、本発明の光ディスク装置は、前記アダプタ装着ディスク判別手段は、前記ディスク回転手段を非回転状態で、前記ピックアップを前記ピックアップ移動手段を制御してディスク状記録媒体の外周付近に移動させ、前記ピックアップによりフォーカスサーチを行った際に、前記ディスク状記録媒体の外周部にて記録データ面無し、を検出した場合には、前記ディスク回転手段を一定時間回転させたのちに停止させ、再度前記ピックアップによりフォーカスサーチを行って記録データ面の有無を検出する動作を複数回行い、そのいずれでも記録データ面無し、を検出した場合に、記録データ面なしと判断すること、を特徴とするものである。
【００１３】
また、本発明の光ディスク装置は、前記アダプタ装着ディスク判別手段は、一旦ディスクの種類を判別してそれぞれのディスクに対応する設定を行った後に起動処理を行い、ディスク情報を取得し、取得したディスク情報のうちディスク容量に関する情報が、前記第１のディスク状記録媒体と前記第２のディスク状記録媒体を誤判別していることを示した場合には、強制的に正しい方のディスク状記録媒体に対応する設定を行った後に再起動を行うこと、を特徴とするものである。
【００１４】
また、本発明の光ディスク装置は、前記アダプタ装着ディスク判別手段が、前記第２のディスク状記録媒体が装填されたことを検出した場合には、起動処理を中断する起動処理中断手段を備えること、を特徴とするものである。
【００１５】
また、本発明の光ディスク装置は、単一の前記ピックアップにより、再生時の前記ピックアップのレンズとディスクの作動距離が異なる複数種類のディスクを記録・再生可能で、更に、前記レンズとディスクの作動距離が異なるディスクの種類を判別する作動距離判別手段と、前記アダプタ装着ディスク判別手段が、前記第２のディスク状記録媒体が装填されたことを検出し、かつ前記作動距離判別手段が作動距離が一定以下のディスクが装填されたことを検出した場合には、起動処理を中断する起動処理中断手段を備えること、
を特徴とするものである。
【００１６】
また、本発明の光ディスク装置は、記録・再生可能な作動距離の異なるディスクは、ＣＤ、ＤＶＤまたはＨＤ ＤＶＤ、ＢＤ規格のディスクで、前記アダプタ装着ディスク判別手段が、前記第２のディスク状記録媒体が装填されたことを検出し、かつ前記作動距離判別手段がＣＤまたはＢＤ規格のディスクが装填されたことを検出した場合には、起動処理を中断する起動処理中断手段を備えること、を特徴とするものである。
【００１７】
また、本発明の光ディスク装置は、記録・再生可能な作動距離の異なるディスクは、ＣＤ、ＤＶＤまたはＨＤ ＤＶＤ、ＢＤ規格のディスクで、前記アダプタ装着ディスク判別手段が、前記第２のディスク状記録媒体が装填されたことを検出し、かつ前記作動距離判別手段がＢＤ規格のディスクが装填されたことを検出した場合には、起動処理を中断する起動処理中断手段を備えること、を特徴とするものである。
【００１８】
また、本発明の光ディスク装置は、前記アダプタ装着ディスク判別手段は、前記ディスク回転手段を非回転状態で、前記ピックアップによりフォーカスサーチを行い、前記ディスク状記録媒体の内周または外周部の記録データ面の有無の検出は、フォーカスサーチ時のフォーカスエラー信号の一定レベル以上のＳ字信号の個数をもとに行うこと、を特徴とするものである。
【００１９】
また、本発明の光ディスク装置は、前記アダプタ装着ディスク判別手段は、前記ディスク回転手段を非回転状態で、前記ピックアップによりフォーカスサーチを行い、前記ディスク状記録媒体の内周部の記録データ面の有無の検出は、フォーカスサーチ時のフォーカスエラー信号の一定レベル以上のＳ字信号の個数をもとに行い、外周部の記録データ面の有無の検出は、前記内周部で検出したＳ字信号のうち最大のものと、外周部で検出したＳ字信号のうち最大のもののレベルの比をもとに行うこと、を特徴とするものである。
【００２０】
また、本発明の光ディスク装置は、単一の前記ピックアップにより、異なる規格の複数種類のディスクを記録・再生可能で、更に、前記異なる規格のディスクの種類を判別するディスク判別手段を備え、前記アダプタ装着ディスク判別手段は、前記ディスク回転手段を非回転状態で、前記ピックアップを前記ピックアップ移動手段を制御してディスク状記録媒体の外周付近に移動させ、前記ピックアップによりフォーカスサーチを行った際に、
前記ディスク状記録媒体の外周部にて、記録データ面無し、を検出し、かつディスク判別手段が予め定めた特定のディスクが装填されたことを検出した場合には、前記ディスク回転手段を一定時間回転させたのちに停止させ、再度前記ピックアップによりフォーカスサーチを行って記録データ面の有無を検出する動作を複数回行い、そのいずれでも記録データ面無し、を検出した場合に、記録データ面なしと判断すること、を特徴とするものである。
【００２１】
さらに、本発明の光ディスク装置のアダプタ装着ディスク判別方法は、情報が記録された第１のディスク状記録媒体と、該第１のディスク状記録媒体よりも小径で外周に環状のアダプタが嵌合された第２のディスク状記録媒体とを装填、記録、再生可能で、前記第１または第２のディスク状記録媒体を装置内に引き込み、ディスク装着部に装着するディスク装着手段と、装着した前記ディスク状記録媒体を回転させるディスク回転手段と、前記ディスク状記録媒体に記憶された情報を光学的に読み取るピックアップと、前記ピックアップを前記ディスク状記録媒体の半径方向に移動させるピックアップ移動手段と、を有する光ディスク装置において、前記ディスク回転手段を非回転状態で、前記ピックアップを前記ピックアップ移動手段を制御してディスク状記録媒体の内周付近に移動させ、前記ピックアップによりフォーカスサーチを行い、前記ディスク状記録媒体の内周部の記録データ面の有無を検出するステップと、前記内周部のデータ面を検出した場合には、前記ディスク回転手段を非回転状態で、前記ピックアップを前記ピックアップ移動手段を制御してディスク状記録媒体の外周付近に移動させ、前記ピックアップによりフォーカスサーチを行い、前記ディスク状記録媒体の外周部の記録データ面の有無を検出し、前記内周部にてデータ面無し、を検出した場合にはディスク無し、前記内周部のデータ面有りを検出しかつ、前記外周部のデータ面有りを検出した場合には前記第１のディスク状記録媒体が装填されたことを、前記内周部のデータ面有りを検出しかつ、前記外周部にてデータ面無し、を検出しかつ、前記標準径ディスク状記録媒体であることを検出した場合には前記第２のディスク状記録媒体が装填されたことを、判別するステップと、を有することを特徴とするものである。
【００２２】
また、本発明の光ディスク装置のアダプタ装着ディスク判別方法は、前記第１のディスク状記録媒体より小径である第３のディスク状記録媒体を、前記内周部のデータ面有りを検出しかつ、前記外周部のデータ面無し、を検出しかつ、前記小径ディスク状記録媒体であることを検出した場合には前記第３のディスク状記録媒体が装填されたことを判別するステップを有することを特徴とするものである。
【００２３】
また、本発明の光ディスク装置のアダプタ装着ディスク判別方法は、前記ディスク状記録媒体の外周部の記録データ面の有無を検出するステップは、前記ディスク回転手段を非回転状態で、前記ピックアップを前記ピックアップ移動手段を制御してディスク状記録媒体の外周付近に移動させ、前記ピックアップによりフォーカスサーチを行った際に、前記ディスク状記録媒体の外周部にて記録データ面無し、を検出した場合には、前記ディスク回転手段を一定時間回転させたのちに停止させ、再度前記ピックアップによりフォーカスサーチを行って記録データ面の有無を検出する動作を複数回行い、そのいずれでも記録データ面無し、を検出した場合に、記録データ面なしと判断すること、を特徴とするものである。
【００２４】
また、本発明の光ディスク装置のアダプタ装着ディスク判別方法は、一旦ディスクの種類を判別してそれぞれのディスクに対応する設定を行った後に起動処理を行い、ディスク情報を取得し、取得したディスク情報のうちディスク容量に関する情報が、前記第１のディスク状記録媒体と前記第２のディスク状記録媒体を誤判別していることを示した場合には、強制的に正しい方のディスク状記録媒体に対応する設定を行った後に再起動を行うステップと、を有することを特徴とするものである。
【００２５】
また、本発明の光ディスク装置のアダプタ装着ディスク判別方法は、前記第２のディスク状記録媒体が装填されたことを検出した場合には、起動処理を中断するステップを有することを特徴とするものである。
【００２６】
また、本発明の光ディスク装置のアダプタ装着ディスク判別方法は、前記光ディスク装置は、単一の前記ピックアップにより、再生時の前記ピックアップのレンズとディスクの作動距離が異なる複数種類のディスクを記録・再生可能で、更に、前記レンズとディスクの作動距離が異なるディスクの種類を判別するステップと、前記第２のディスク状記録媒体が装填されたことを検出し、かつ作動距離が一定以下のディスクが装填されたことを検出した場合には、起動処理を中断するステップと、を有することを特徴とするものである。
【００２７】
また、本発明の光ディスク装置のアダプタ装着ディスク判別方法は、前記光ディスク装置が記録・再生可能な作動距離の異なるディスクは、ＣＤ、ＤＶＤまたはＨＤ ＤＶＤ、ＢＤ規格のディスクで、前記起動処理を中断するステップは、前記第２のディスク状記録媒体が装填されたことを検出し、かつＣＤまたはＢＤ規格のディスクが装填されたことを検出した場合に、起動処理を中断すること、を特徴とするものである。
【００２８】
また、本発明の光ディスク装置のアダプタ装着ディスク判別方法は、前記光ディスク装置が記録・再生可能な作動距離の異なるディスクは、ＣＤ、ＤＶＤまたはＨＤ ＤＶＤ、ＢＤ規格のディスクで、前記起動処理を中断するステップは、前記第２のディスク状記録媒体が装填されたことを検出し、かつＢＤ規格のディスクが装填されたことを検出した場合に、起動処理を中断すること、を特徴とするものである。
【００２９】
また、本発明の光ディスク装置のアダプタ装着ディスク判別方法は、前記ディスク状記録媒体の内周または外周部の記録データ面の有無を検出するステップは、前記ディスク回転手段を非回転状態で、前記ピックアップによりフォーカスサーチを行い、前記ディスク状記録媒体の内周または外周部の記録データ面の有無の検出は、フォーカスサーチ時のフォーカスエラー信号の一定レベル以上のＳ字信号の個数をもとに行うこと、を特徴とするものである。
【００３０】
また、本発明の光ディスク装置のアダプタ装着ディスク判別方法は、前記ディスク状記録媒体の内周部の記録データ面の有無を検出するステップは、前記ディスク回転手段を非回転状態で、前記ピックアップによりフォーカスサーチを行い、前記ディスク状記録媒体の内周部の記録データ面の有無の検出は、フォーカスサーチ時のフォーカスエラー信号の一定レベル以上のＳ字信号の個数をもとに行い、前記ディスク状記録媒体の外周部の記録データ面の有無を検出するステップは、前記内周部で検出したＳ字信号のうち最大のものと、外周部で検出したＳ字信号のうち最大のもののレベルの比をもとに行うこと、を特徴とするものである。
【００３１】
また、本発明の光ディスク装置のアダプタ装着ディスク判別方法は、前記光ディスク装置は、単一の前記ピックアップにより、異なる規格の複数種類のディスクを記録・再生可能で、更に、前記異なる規格のディスクの種類を判別するステップと、を有し、前記ディスク状記録媒体の外周部の記録データ面の有無を検出するステップは、記ディスク回転手段を非回転状態で、前記ピックアップを前記ピックアップ移動手段を制御してディスク状記録媒体の外周付近に移動させ、前記ピックアップによりフォーカスサーチを行った際に、前記ディスク状記録媒体の外周部にて記録データ面無し、を検出し、かつ前記ディスクの種類を判別するステップの判別結果により、予め定めた特定のディスクが装填されたことを検出した場合には、前記ディスク回転手段を一定時間回転させたのちに停止させ、再度前記ピックアップによりフォーカスサーチを行って記録データ面の有無を検出する動作を複数回行い、そのいずれでも記録データ面無し、を検出した場合に、記録データ面なしと判断することを特徴とするものである。
【発明の効果】
【００３２】
以上の様に請求項１から２４に記載の発明によれば、複雑な処理を必要とすることなく、高速に、ピックアップのアクチュエータコイルを損傷することなく、ディスク径及びアダプタ装着ディスクを判別することができる、光ディスク装置を提供することができる。
【発明を実施するための最良の形態】
【００３３】
以下に本発明に記載の光ディスク装置、及び光ディスク装置のアダプタ装着ディスク判別方法の実施の形態を図面と共に詳細に説明する。
（実施の形態１）
本発明の実施の形態１について図１、２、３、４、５、６を用いて説明する。
【００３４】
図１は本発明を、Ｂｌｕ−Ｒａｙディスク装置に適用した場合のブロック図である。Ｂｌｕ−Ｒａｙディスク装置は一般に、ＣＤ、ＤＶＤ、Ｂｌｕ−Ｒａｙ規格のディスクを記録・再生可能である。１０１はディスク状記録媒体で、たとえば光ディスクである。一般には、ＣＤ、ＤＶＤ、Ｂｌｕ−Ｒａｙ、ＨＤ  ＤＶＤ規格の光ディスクなどがある。
１０２は、ディスク装着手段である。ディスク装着手段１０２は、光ディスクドライブのタイプにより異なる。図１のスリムトレイタイプの光ディスクドライブでは光ディスクドライブの機構全体が装置外部にトレイ状に引き出すことができる構造になっており、引き出された機構のターンテーブル１０４に使用者が直接ディスク状記録媒体１０１を載置する。載置されたディスク状記録媒体１０１は、ターンテーブル１０４中央のラチェット１０５によりターンテーブル上に保持される。
【００３５】
１０３はディスク回転手段で、たとえばスピンドルモーターである。スピンドルモーター１０４は、ターンテーブル１０４に接続され、ターンテーブル１０４上に保持された、ディスク状記録媒体１０１をスピンドル制御回路１０６の制御により回転させる。
１０７はピックアップである。Ｂｌｕ−Ｒａｙディスク装置に搭載されるピックアップ１０７は、ＣＤ、ＤＶＤとＢＤの２系統の光学系を備える。ＣＤ、ＤＶＤ系の光学系は、ＣＤ、ＤＶＤレーザー制御回路１０８、ＣＤ，ＤＶＤ２波長レーザーダイオード１０９、ＣＤ、ＤＶＤ用カップリングレンズ１１０、ＣＤ、ＤＶＤ用ハーフミラー１１６、ＣＤ、ＤＶＤ用対物レンズ１１８、ＣＤ、ＤＶＤ用受光素子１２０で構成される。また、ＢＤ用の光学系も同様に、ＢＤレーザー制御回路１１３、ＢＤレーザーダイオード１１２、ＢＤ用カップリングレンズ１１１、ＢＤ球面収差補正用レンズ１１４、ＢＤ用ハーフミラー１１７、ＢＤ用対物レンズ１１９、ＢＤ用受光素子１２１で構成される。
【００３６】
球面収差補正用レンズ１１４は、小型ステッピングモータ（図示しない）、球面収差補正回路１２４により駆動され、Ｂｌｕ−Ｒａｙディスクの２層ディスクにおける層間距離（７５μｍ、１００μｍ）による球面収差を補正する。
【００３７】
また、ＣＤ、ＤＶＤ用対物レンズ１１８とＢＤ用対物レンズ１１９は同一の架台１１５上に設置されておりアクチュエータによりフォーカス、トラッキング方向に駆動される。本実施の形態ではＣＤ、ＤＶＤとＢＤの光路が独立して構成された例を図示しているが、小型化のために一部の光路を共有する形で構成することも可能である。また、対物レンズをＣＤ、ＤＶＤ、ＢＤで共有して１個の対物レンズで構成した装置も既に実用化されている。
【００３８】
１２２はフォーカス駆動手段で、対物レンズ架台１１５をフォーカスアクチュエータコイル（図示しない）によりフォーカス方向に駆動する。
【００３９】
１２３はトラッキング駆動回路で、対物レンズ架台１１５をトラッキング方向にトラッキングアクチュエータコイル（図示しない）により駆動する。
【００４０】
１２８はチルト駆動回路で、対物レンズ架台１１５を半径傾斜方向にチルトアクチュエータコイル（図示しない）により駆動する。ＣＤ、ＤＶＤレーザー制御回路１０８は、ＣＤ、ＤＶＤレーザー１０９を制御して適正なレベルでＣＤ、ＤＶＤ再生用レーザーを発光させる。ＢＤレーザー制御回路１１３は同様にＢＤレーザー発光手段１１２を制御して適性なレベルでＢＤ再生用レーザーを発光させる。発光されたＣＤ、ＤＶＤ、ＢＤ各レーザーはＣＤ、ＤＶＤ用カップリングレンズ１１０、ＢＤ用カップリングレンズ１１１をそれぞれ通って、ＣＤ、ＤＶＤ用ハーフミラー１１６、ＢＤ用ハーフミラー１１７を経由して対物レンズ１１８、１１９により集光される。ディスクからの反射光はハーフミラー１１６、１１７を透過して受光素子１２０、１２１て受光検出される。
【００４１】
検出された信号は、信号処理回路１２５に送られ、ＣＤ/ＤＶＤ/ＤＶＤ−ＲＡＭ、ＢＤなどのディスク毎に対応する信号処理方法を選択して、選択した信号処理方法に基づき、ＦＥ（フォーカスエラー）、ＴＥ（トラッキングエラー）、ＡＳ（オールサム・全加算）、ＲＦ（再生信号）などを生成して制御回路１２６に送る。
【００４２】
制御回路１２６はたとえばデジタルシグナルプロセッサで、受け取った信号をもとにフォーカス駆動手段１２２、トラッキング駆動手段１２３を制御、ＲＦ信号によりデータの再生、ＣＤ、ＤＶＤレーザー制御の切り替え、スピンドル制御手段１０６を制御してスピンドルモーター１０３を動作させて光ディスク１０１の回転制御などを行う。
【００４３】
１２７はＣＰＵで、信号処理回路１２５を制御して現在装填されていると思われる種類のディスクに最適な信号処理方法を選択すると共に、制御回路１２６に各種制御のパラメータ設定、動作指示などを行うと共に、内部ソフトウエアによりアダプタ装着ディスク判別手段１３０を構成する。
【００４４】
次に、実際に光ディスク１０１が、装置に装填されてディスク判別を行う動作について説明する。
【００４５】
図２は、ＣＤ（ａ）、ＤＶＤ単層（ｂ）、ＤＶＤ２層（ｃ）のディスク構造を示す図、図３はＢｌｕ−Ｒａｙ１層（ａ）、２層（ｂ）ディスクの構造を示す図、図４は、本発明を Ｂｌｕ−Ｒａｙディスク装置に適用した場合のディスク判別の動作を示すフローチャート、図５は、本発明をＢｌｕ−Ｒａｙディスク装置に適用した場合の起動処理の動作を示すフローチャートである。
【００４６】
Ｂｌｕ−Ｒａｙディスク装置の起動処理などの動作は、ＣＰＵ１２７内のソフトウエアによって実現されるので、以下の説明ではアダプタ装着ディスク判別手段１３０は単に、アダプタ装着ディスク判別処理と記載する。
【００４７】
Ｂｌｕ−Ｒａｙディスク装置の起動処理では、まずディスク判別処理５０２が行われる。ディスク判別処理５０２内では、ディスクの種類（ＣＤ、ＤＶＤ、Ｂｌｕ−Ｒａｙ、層数など）の判別と同時に、アダプタ装着ディスクの判別処理も並行して行う。ディスク判別に先立って、ステップ４０２にて、まずディスク１０１の回転を停止し、ピックアップ１０７をディスク１０１の最内周付近に移動させる動作を行う。
【００４８】
ディスク１０１の回転は、通常はディスク判別の最初の段階では停止しているが、ユーザーが手で回転させた場合や、ディスク回転中にドライブがリセットを受け取った場合などにディスクが回転している状態であると、万が一ピックアップ１０７の対物レンズ１１８，１１９や対物レンズ架台１１５上に設置されレンズプロテクタが、アダプタ装着ディスクの記録面に接触した場合に、半径位置によってはアダプタの爪に引っかかってアクチュエータコイルを損傷する恐れがあるため、念のために停止処理を行っておく。
【００４９】
また、ピックアップの設計によっては、対物レンズ架台１１５が自重位置でも対物レンズ１１８，１１９や対物レンズ架台上に設置されたレンズプロテクタが、アダプタ爪に接触する恐れがあるので、対物レンズ架台１１５は、ディスク回転停止中であっても、フォーカスサーボＯＦＦの状態でピックアップ１０７を移動させるときは、対物レンズ架台１１５をフォーカス方向にダウンさせたレンズダウン状態にて移動させることが望ましい。
【００５０】
ピックアップ１０７が内周付近に移動したら、ディスク非回転状態で、フォーカスサーチ４０３を行い、データ面を検出したかどうかの判別処理４０４を行う。フォーカスサーチ４０３，データ面検出判別処理４０４は通常、ディスクの種類を判別するディスク判別処理と同時に行われる。
【００５１】
また、光ディスク装置は、複数のレーザー光源を持っており、それぞれのレーザー光源に対応する光ディスク１０２を記録／再生可能であるので、レーザー光源毎に、必要に応じて順次フォーカスサーチを行い、検出されたフォーカスエラー信号のＳ字の個数、間隔、絶対位置、信号レベルを総合してディスクに対応するレーザー光源の種別、データ面の有無を判定する。
【００５２】
具体的には、たとえばＣＤ，ＤＶＤ、Ｂｌｕ−Ｒａｙディスクの記録／再生に対応している場合、まずＢｌｕ−Ｒａｙのレーザーでフォーカスサーチを行う。図６は各種ディスクをＢｌｕ−Ｒａｙレーザーでフォーカスサーチした場合のフォーカスエラー信号波形である。
【００５３】
図３（ａ）Ｂｌｕ−Ｒａｙ１層ディスクである場合は、図５（ａ）の様に、ディスク表面３００のＳ字信号を検出したあと、約１００μｍ上昇後に信号面３０２と反射層３０３からなるデータ面によるＳ字信号を検出する。
【００５４】
図３（ｂ）Ｂｌｕ−Ｒａｙ２層ディスクであるなら図６（ｂ）の様に表面のＳ字信号を検出したあと、約７５μｍ、１００μｍで第１信号面３１２及び第１反射層３１３と第２信号面３１４及び第２反射層３１５による２個のデータ面のＳ字を検出する。
【００５５】
図２（ａ）（ｂ）（ｃ）ＣＤまたはＤＶＤ規格のディスクの場合は、図６（ｃ）の様に表面Ｓ字のみでデータ面はＤＶＤ：０．６ｍｍ、ＣＤ：１．２ｍｍの位置にあり、フォーカスサーチ範囲外にあるため検出されない。これによりまず、Ｓ字信号３個、または２個である場合には、Ｂｌｕ−Ｒａｙディスクで、データ面ありであることが確定する。
【００５６】
Ｂｌｕ−Ｒａｙディスクでないと判定された場合、次はＣＤレーザーでフォーカスサーチを行う。図７は各種ディスクをＣＤレーザーでフォーカスサーチした場合のフォーカスエラー信号波形である。通常、ＤＶＤ、ＣＤディスクでは、データ面の反射率がディスク表面に対してかなり高いため、ディスク表面のフォーカスエラーＳ字信号は検出されないことが多いので、本実施の形態１では、ＣＤレーザーでのディスク表面のＳ字信号は検出されないものとして説明する。
【００５７】
図２（ｂ）ＤＶＤ１層ディスクの場合、図７（ｂ）の様に、７０１のフォーカス駆動位置で信号面２２２，反射層２２３からなるデータ面によるフォーカスエラー信号のＳ字が１個観測される。
【００５８】
図２（ｃ）ＤＶＤ２層ディスクの場合、図７（ｃ）の様に７０１のフォーカス駆動位置で第１信号面２３２，第１反射層２３３および、第２信号面２３４，第２反射層２３５からなる２個のデータ面によるフォーカスエラー信号のＳ字が２個観測される。
図２（ａ）ＣＤディスクの場合は、図７（ｄ）の様に７０２のフォーカス駆動位置で信号面２０２及び反射層２０３からなるデータ面によるフォーカスエラー信号のＳ字が１個観測される。
【００５９】
ここで、ＤＶＤとＣＤの種別はフォーカスエラー信号のＳ字を検出したフォーカス駆動位置で判別することができるし、ここではＣＤレーザーを用いている為、ＮＡの違いによりＤＶＤディスクはＳ字信号の振幅が小さくなることを利用して、おおよそのＣＤ、ＤＶＤの区別を付けておき、更にＤＶＤレーザーでフォーカスサーチを行った際のＳ字信号の振幅とを総合してＣＤ、ＤＶＤの種別を判断することができる。また、データ面の有無は、Ｓ字信号が１個以上検出されたかどうかで判断できる。
【００６０】
ここで、データ面なしと判断された場合には、４０５にて、ディスクなし、またはディスクが裏向きに装填されているものとして４０６停止処理を行う。データ面ありと判断した場合には、４０７にてピックアップ１０７をディスク外周付近に移動させる。外周付近の位置は、８ｃｍ規格のディスクの記録面よりも外側で、アダプタの存在する位置付近を予め定めておいてその地点とする。このときも同様に、レンズダウン状態にて移動させることが好ましい。このとき、リトライフラグｎをリセットする。
【００６１】
次に４０８にて外周付近でのフォーカスサーチを行うが、この時点ではディスクに対応するレーザー光源の種別がわかっているので、対応するレーザー光源でのみサーチを行えばよい。そして、その際のＳ字信号の個数により、Ｂｌｕ−Ｒａｙディスクの場合は２個以上、ＣＤ、ＤＶＤディスクの場合は１個以上であればデータ面ありと判断することができる。
【００６２】
ただし、ディスク１０１の種類やばらつきにより、Ｓ字信号の振幅は大きく変化し、また内周と外周でも一定の振幅差が発生する場合がある。このため、外周でのＳ字信号を検出するための、振幅の閾値は、内周で検出したＳ字信号のうち最大のものを基準に、その一定割合以上の振幅があればＳ字信号として検出する様にすることで、より外周部でのＳ字信号の検出精度を高めることができる。
【００６３】
そして、通常のディスク１０１の面ぶれが少ない場合には、内周と同様に４０９にてデータ面の有無が判別される。しかしながら、ディスク１０１の面ぶれが大きい場合には、ディスク１０１が非回転状態であるため、その回転位置によってはピックアップ１０７のフォーカス可動範囲内では、データ面に合焦点が到達しないために、アダプタ装着ディスクではなくてもデータ面を検出出来ない場合が考えられる。
【００６４】
たとえば、ターンテーブル１０４とピックアップ１０７の高さの個体差（調整可動範囲を含む）が最大０．２ｍｍで、ＢＤのフォーカスＯＮ点が、水平置きのレンズ自重位置より０．３ｍｍ上方、ＣＤのフォーカスＯＮ点が水平置きのレンズ自重位置より０．１ｍｍ上方、ＤＶＤのフォーカスＯＮ点が水平置きのレンズ自重位置より０．２ｍｍ下方、レンズ基台の可動範囲がレンズ自重位置より±０．７５ｍｍであったとすると、ＢＤ、ＤＶＤ規格のディスクの面ぶれ量は外周付近で最大±０．３ｍｍ、ＣＤ規格のディスクの面ぶれ量は外周付近で最大±０．５ｍｍであるから、各ディスクの面ぶれを含むフォーカスＯＮ位置の範囲はそれぞれ水平置きのレンズ自重位置より、
ＢＤ  ：＋０．８ｍｍ〜−０．２ｍｍ
ＣＤ  ：＋０．８ｍｍ〜−０．６ｍｍ
ＤＶＤ：＋０．３ｍｍ〜−０．７ｍｍ
となるので、ＢＤおよびＣＤディスクの場合は上側で面ぶれ最大、ターンテーブル１０４とピックアップ１０７の高さの個体差最大の場合には０．０５ｍｍフォーカス合焦点に届かない可能性がある。
【００６５】
一方ＤＶＤディスクでは、面ぶれ最大、ターンテーブル１０４とピックアップ１０７の高さの個体差最大の場合でもディスクのデータ面がフォーカス可動範囲内に入るので確実に合焦点に届くことになる。
【００６６】
従ってこの例では、４２２で事前に４０３、４０４にて取得したディスク種別の情報により、ＤＶＤ規格のディスクであり、外周でデータ面なしを検出した場合には即座に４１３にて外周記録面なしフラグを立てる処理に移行する。
【００６７】
ＢＤまたはＣＤ規格のディスクの場合は、アダプタ装着ディスクではなくてもデータ面を検出出来ない可能性があるので、外周でデータ面なしを検出した場合には４１０にてリトライフラグｎをチェックする。
【００６８】
本実施の形態１では、ｎ＞２であるかどうかを確認し、１回のリトライ毎にｎを１づつ加算するので、２回のリトライを行うことになる。リトライフラグがｎ＞２でない場合には４１１にてｎを１加算する。そして、回転位置を変えて面ぶれによるピックアップ１０７とディスク１０１間の距離を変更するために、４１２にてレンズダウンを行ったうえで、ディスク１０１を微少回転させる。通常、光ディスクドライブに使用されているスピンドルモーター１０３は、ＦＧ出力による回転位置検出機能を備えてはいるが、起動時などの微少回転ではＦＧ出力にチャタリングが多く発生し、正確な微少回転制御をすることはできない。
【００６９】
そこで、ここでは一定時間、一定加速度で加速信号を加えることで回転位置を変更するが、必ずしも狙った回転量を得られるものではない。４１２にて回転位置を変更してディスク回転が停止したら、再度４０８よりフォーカスサーチを行い４０９データ面検出判別を行う。回転位置を変更しているので、面ぶれによりデータ面に到達せず、データ面なしとなっていた場合でも、データ面を検出することができる。
【００７０】
ただし、回転量によっては、１回の回転位置変更ではたまたま同じ回転位置位相となってしまう場合があるので必要に応じてｎの値を大きくして、検出精度を上げることができる。決められたリトライ回数でもデータ面を検出できなかった場合には、４１０にてｎの値を判定して、４１３にて外周でのデータ面なしのフラグを立てて次の処理にすすむ。外周でのデータ面の有無を検出したのち、４１４にてレンズダウン状態にて、再度内周位置にピックアップ１０７を移動する。
【００７１】
内周位置は、８ｃｍディスクのデータ面内でアダプタの爪などにピックアップ１０７の架台１１５がかからない位置とする。そして、４１５にてディスクを回転させて、その加速状態により、４１６にて、ディスクが小径ディスクなのか、通常径ディスクなのかを判別する。小径ディスクであると判別された場合には、４１７にて無条件にアダプタなし８ｃｍディスクと識別される。
【００７２】
１２ｃｍディスクまたは８ｃｍディスクにアダプタを装着したものであると判別された場合には、４１８にて外周位置で記録面が検出されたかどうかを確認する。外周で記録面が検出されていれば４２０にて、１２ｃｍディスク、外周で記録面が検出されなければ４１９にて、８ｃｍディスクにアダプタを装着したものであると判別され、アダプタ装着ディスク判別処理は終了（４２１）となる。
【００７３】
本実施の形態１では、４１６にて、小径ディスクと判別された場合には無条件で、８ｃｍディスクであると判断する例を示したが、外周位置で記録面が検出されているのに小径ディスクであると判断された場合には異常な検出結果であるとして、外周位置での記録面検出処理４０７からやり直すことも可能である。
【００７４】
ディスク判別処理５０２により、ディスクの種別（ＢＤ−ＲＯＭ、ＢＤ−ＲＥ、ＢＤ−ＲＥ  ＤＬ、ＢＤ−Ｒ、ＢＤ−Ｒ  ＤＬ、ＣＤ−ＲＯＭ、ＣＤ−Ｒ、ＣＤ−ＲＷ，ＤＶＤ−ＲＯＭ、ＤＶＤ−ＲＯＭ  ＤＬ、ＤＶＤ−Ｒ、ＤＶＤ−ＲＷ、ＤＶＤ＋Ｒ、ＤＶＤ＋ＲＷ、ＤＶＤ−ＲＡＭ）及び径情報（１２ｃｍ、８ｃｍ、アダプタ付き８ｃｍ）が判別される。起動処理では、次に全面チルト学習５０３が行われる。全面チルト学習５０３では、得られたディスクの種別により実行必要性（再生のみのディスクは実行不要など）と、径情報により学習半径位置が決定される。
【００７５】
１２ｃｍディスクでは、ディスク全面、８ｃｍディスク及びアダプタ付き８ｃｍディスクでは、８ｃｍの範囲に学習範囲を規制する。そして、ディスク状記録媒体１０１を回転状態にして、フォーカスＯＮし、半径位置毎にフォーカス駆動値の１回転当たりの平均値を取得することにより、ディスク状記録媒体１０１のそりやピックアップ１０７の駆動軸の傾きなどによるチルトの変化を算出し、記録再生時にピックアップ１０７のチルト機構により補正最適なチルトとなるよう補正を行う。
【００７６】
続いて、５０４にてその他の起動処理が行われる。起動処理５０４は、各種ゲイン、オフセット、バランスの調整やサーボ状態の設定などが含まれる。そののち、ディスク上の物理情報の取得５０５が行われる。物理情報には、ディスクの種別、及び径情報がディスク容量情報として予め記録されている。もしも、ディスク判別５０２での判別結果が誤っていた場合は、５０７にて、取得した物理情報と一致するディスク種別、径情報が強制的に設定されて、５０８で全面チルト学習５０２から再度やりなおしが行われる。
【００７７】
この様に、ディスク判別処理５０２は必ずしも完璧に行われるものではなく、ディスクの反射率、偏心、面ぶれなどのばらつきや、温度条件によってはまれに誤った結果となることがあるので、判別のための閾値としては特に、径情報判別のための閾値としては８ｃｍアダプタ装着ディスクを１２ｃｍディスクと誤判別しない様な十分なマージンをもった閾値を設定しておくことが必要である。
【００７８】
さもないと、ディスク判別５０２の後の全面チルト学習５０３やその他の起動処理５０４でピックアップ１０７が径変換アダプタの領域にまで移動してフォーカスサーボが外れてしまった際に、アダプタのディスク保持用の爪などにピックアップ１０７の対物レンズ架台１０５や、対物レンズの周辺に設けられたレンズプロテクタが接触してアクチュエータコイルを破損してしまうからである。ディスク判別の結果に誤りがなければ、５０９にてディスクの論理情報の取得や記録の為の学習処理などが行われて、起動が完了５１０する。
【００７９】
尚、本実施の形態１では８ｃｍディスク、１２ｃｍディスク、アダプタ付き８ｃｍディスクに対応する光ディスク装置を例に説明したが、アダプタ無しの８ｃｍディスクに非対応のたとえば、スロットローディング形式の光ディスク装置に適用した場合も同様に実施可能である。この場合、４１５、４１６のディスク回転による８ｃｍディスクと、１２ｃｍディスクまたはアダプタ付き８ｃｍディスクの判別は必要なく、無条件に４１８にて外周記録面の有無を検出することになる。
【００８０】
以上の様に本実施の形態１によれば、ディスク状記憶媒体を非回転状態で、内周付近、及びアダプタに対向する外周付近でデータ面の有無を検出し、内周付近でデータ面を検出した場合には更にディスク回転手段を回転させてディスクのイナーシャを測定することによりディスクの有無および、ディスクが第1、第２、第３のディスク状記録媒体のいずれであるかを判別するので、複雑な処理を必要とすることなく、高速に、ピックアップのアクチュエータコイルを損傷することなく、ディスク径及びアダプタ装着ディスクを判別することができる、光ディスク装置を提供することができる。
【００８１】
また、本実施の形態１に記載の発明によれば、ディスク状記憶媒体を非回転状態で、内周付近、及びアダプタに対向する外周付近でデータ面の有無を検出し、内周付近でデータ面を検出した場合には更にディスク回転手段を回転させてディスクのイナーシャを測定することによりディスクの有無および、ディスクが第1、第２のディスク状記録媒体のいずれであるかを判別するので、複雑な処理を必要とすることなく、高速に、ピックアップのアクチュエータコイルを損傷することなく、ディスク径及びアダプタ装着ディスクを判別することができる、光ディスク装置を提供することができる。
【００８２】
また、本実施の形態１に記載の発明によれば、前記ピックアップによりフォーカスサーチを行った際に、前記ディスク状記録媒体の外周部にて記録データ面無し、を検出した場合には、前記ディスク回転手段を一定時間回転させたのちに停止させ、再度前記ピックアップによりフォーカスサーチを行って記録データ面の有無を検出する動作を複数回行うことにより、ディスクの面ブレなどによりフォーカスサーチ時に記録面にフォーカスポイントが到達しないことによる誤判別を防止することができる。
【００８３】
また、本実施の形態１に記載の発明によれば、何らかの原因でアダプタ装着ディスクの判別を誤った場合でも、ディスクの物理情報により強制的に正しいディスクの設定に切り替えて再起動するので、確実にアダプタ装着ディスクを判別することができる。
【００８４】
また、本実施の形態１に記載の発明によれば、アダプタ装着ディスクを起動して記録または再生することに対応しない場合には、アダプタ装着ディスクが装填されたことを検出した時点で、起動処理を中断するのでアダプタによるピックアップの損傷を未然に防止することができる。
【００８５】
また、本実施の形態１に記載の発明によれば、記録データ面の有無を一定レベル以上のＳ字信号の数をもとに判別するので、判別誤りをより低減することができる。
【００８６】
また、本実施の形態１に記載の発明によれば、内周部で検出した最大Ｓ字信号の振幅と外周部で検出した最大Ｓ字信号の振幅の比をもとに、アダプタ装着ディスクを判別することにより、ディスク個体や種類による反射率などのばらつきがあっても確実にディスク径及びアダプタ装着ディスクを判別することができる。
【００８７】
また、本実施の形態１に記載の発明によれば、外周部で記録データ面なし、かつ作動距離が一定値より近い、または一定値より遠いディスクが装填されたことを検出した場合にのみ、前記ディスクを回転させて回転位置を変化させたのち、ディスクを停止して再度フォーカスサーチを行うことを複数回繰り返すことにより、面ぶれが大きいディスクで、外周での記録面高さがフォーカスサーチ範囲外となる可能性のある種類のディスクのみフォーカスサーチをやり直すので、確実かつ高速にディスク径及びアダプタ装着ディスクを判別することができる。
（実施の形態２）
次に、実施の形態２について、図８を用いて説明する。図８は、本実施の形態２に記載の発明をＢｌｕ−Ｒａｙディスク記録再生装置に適用した場合の起動手順を示すフローチャートである。尚、ハードウエアの構成は実施の形態１に記載した図１の説明と同一であるので省略する。また図１において、１３１はＣＰＵ内のソフトウエアによって実現される起動処理中断手段である。尚、以下の説明では、起動処理中断手段１３１は、ＣＰＵ１２７内のソフトウエアによって実現されるものであるため、単に起動中断処理と記載する。
【００８８】
Ｂｌｕ−Ｒａｙディスク装置の起動処理では、まずディスク判別処理ステップ８０２が行われる。ディスク判別処理（ステップ８０２）は、実施の形態１に記載した図４のフローチャートの説明と同一であるので省略する。ディスク判別処理（ステップ８０２）により、ディスクの種別（ＢＤ−ＲＯＭ、ＢＤ−ＲＥ、ＢＤ−ＲＥ  ＤＬ、ＢＤ−Ｒ、ＢＤ−Ｒ  ＤＬ、ＣＤ−ＲＯＭ、ＣＤ−Ｒ、ＣＤ−ＲＷ，ＤＶＤ−ＲＯＭ、ＤＶＤ−ＲＯＭ  ＤＬ、ＤＶＤ−Ｒ、ＤＶＤ−ＲＷ、ＤＶＤ＋Ｒ、ＤＶＤ＋ＲＷ、ＤＶＤ−ＲＡＭ）及び径情報（１２ｃｍ、８ｃｍ、アダプタ付き８ｃｍ）が判別される。
【００８９】
ところで、Ｂｌｕ−Ｒａｙ規格のディスク（ＢＤ）はディスクの保護層０．１ｍｍ、ＮＡ約０．８５、波長４０５ｎｍ、フォーカスＯＮ時のレンズとディスク間の距離は（以下作動距離）０．３ｍｍ以上程度と非常に動作中のレンズとディスクの距離が近接している。
【００９０】
一方、現在市販されているディスク径変換アダプタは、その構造上データ面側にディスク保持用の爪が突出しており、その最大高さは寸法誤差及び劣化等も考慮すると、およそ０．５ｍｍある。最外周付近のデータを記録・再生する為にピックアップ１０７を８ｃｍディスクの最外周付近に移動させると、ＢＤ用対物レンズ１１９の中心が最外周のトラック上に位置しただけでＢＤ用対物レンズ１１９またはＣＤ／ＤＶＤ用対物レンズ１１８の端や、レンズ基台１１５上に設けられたレンズプロテクタがこのディスク保持用の爪にかかるため、接触してアクチュエータを損傷してしまう。
【００９１】
このため、現在のＢｌｅ−Ｌａｙディスク装置では現在市販されているディスク系変換アダプタを装着した８ｃｍＢｌｕ−Ｒａｙディスクを起動してしまうことは、即アクチュエータコイルの破損につながる。
【００９２】
同様に、ＣＤはディスクの保護層１．２ｍｍ、ＮＡ約０．５、波長７８４ｎｍ、作動距離約０．５ｍｍ以上程度、ＤＶＤは、保護層０．６ｍｍ、ＮＡ約０．６、波長６６２ｎｍ、作動距離約０．８５ｍｍ以上程度となっている。
【００９３】
ＣＤの場合もフォーカスＯＮ時のレンズプロテクタとの距離マージンはほぼ０であるので、本実施の形態２では、ディスク径変換アダプタが装着された８ｃｍＢｌｕ−Ｒａｙ、ＣＤディスクを起動禁止とする場合を例に説明する。
【００９４】
アダプタ付８ｃｍディスクか否か（ステップ８０３）、ＤＶＤディスクかＢＤもしくはＣＤのメディアか（ステップ８０４）の判断処理にてディスク径変換アダプタ付き８ｃｍＢｌｕ−ＲａｙまたはＣＤディスクであることが判別された場合には、即起動中断処理（ステップ８０５）を実行して起動処理は終了（ステップ８０６）となる。
【００９５】
１２ｃｍディスク、８ｃｍディスク、アダプタ装着８ｃｍＤＶＤ系ディスクである場合には、全面チルト学習（ステップ８０７）が実行される。全面チルト学習の内容は実施の形態１で説明したので省略する。
【００９６】
このとき、判別されたディスクの径情報により、チルト学習の範囲が規制されるのは言うまでもない。
【００９７】
続いて、その他の起動処理（ステップ８０８）が行われる。起動処理（ステップ８０８）は、各種ゲイン、オフセット、バランスの調整やサーボ状態の設定などが含まれる。そののち、ディスク上の物理情報の取得（ステップ８０９）が行われる。物理情報には、ディスクの種別、及び径情報がディスク容量情報として予め記録されている。
【００９８】
続いて、アダプタ付の８ｃｍディスクか否か（ステップ８１０）、記録または再生対応ディスクか否か（ステップ８１１）の判断にてアダプタ付きＤＶＤディスクのうち記録・再生に対応するディスクであるかどうかの判定を行う。
【００９９】
たとえば、ＤＶＤ規格のディスクでも、ＤＶＤ−ＲＡＭはそのディスク構造が特殊で、ＣＡＰＡと呼ばれるディスクアドレスを示す反射率の異なる領域と、データを書き換え可能に記録することが出来るＲ／Ｗ領域が同一円周上に混在している為、他のＤＶＤディスクと比較するとサーボが不安定になりやすく、外周付近でのサーボ外れによるアダプタ爪への接触のリスクが高い為、ＤＶＤ−ＲＡＭのみを起動禁止とする場合を例に説明すると、アダプタ付きＤＶＤディスクであり（ステップ８１０）、取得された物理情報により、ＤＶＤ−ＲＡＭでありかつ、ディスク容量が８ｃｍディスク（ステップ８１１）である場合には起動中断処理（ステップ８１２）が実行される。
【０１００】
物理情報取得後に起動中断処理を実行することにより、データ領域の反射率が比較的近いＤＶＤ−ＲＡＭとＤＶＤ−ＲＷ、ＤＶＤ＋ＲＷを誤判別していた場合でも無条件に起動停止されてしまうことを避けることができる。もちろん、システム構成により、この様な誤判別が全く起こらない場合には、ディスク判別処理（ステップ８０２）の結果によってのみ、アダプタ付きＤＶＤ−ＲＡＭディスクと判別された時点で起動中断処理（ステップ８０５、ステップ８０６）を実行してもよい。
【０１０１】
以降は実施の形態１と同様に、ディスク判別（ステップ８０２）での判別結果が誤っていた場合は、取得した物理情報と一致するディスク種別、径情報が強制的に設定（ステップ８１５）されて、再起動処理（ステップ８１６）で全面チルト学習（ステップ８０７）から再度やりなおしが行われる。ディスク判別の結果に誤りがなければ、ディスクの論理情報の取得や記録の為の学習処理（ステップ８１７）などが行われて、起動が完了（ステップ８１８）する。
【０１０２】
以上の様に、本実施の形態２に記載の発明によれば、作動距離が近い種類のディスクのみで、アダプタ装着ディスクを起動して記録または再生することに対応しない場合には、作動距離が近いアダプタ装着ディスクが装填されたことを検出した時点で、起動中断処理を実行するのでアダプタによるピックアップの損傷を未然に防止することができる光ディスク装置および光ディスク装置のアダプタ装着ディスク判別方法を提供することができる。
【０１０３】
また、本実施の形態２に記載の発明によれば、作動距離が近いＢＤ、ＣＤのディスクのみで、アダプタ装着ディスクを起動して記録または再生することに対応しない場合には、ＢＤ、ＣＤ規格のアダプタ装着ディスクが装填されたことを検出した時点で、起動中断処理を実行するのでアダプタによるピックアップの損傷を未然に防止することができる。
【０１０４】
また、本実施の形態２に記載の発明によれば、作動距離が近いＢＤのディスクのみで、アダプタ装着ディスクを起動して記録または再生することに対応しない場合には、ＢＤ規格のアダプタ装着ディスクが装填されたことを検出した時点で、起動中断処理を実行するのでアダプタによるピックアップの損傷を未然に防止することができる。
【産業上の利用可能性】
【０１０５】
本発明にかかる光ディスク装置及び光ディスク装置のアダプタ装着ディスク判別方法は、情報が記録された第１のディスク状記録媒体と、該第１のディスク状記録媒体よりも小径で外周に環状のアダプタが嵌合された第２のディスク状記録媒体と、該第１のディスク状記録媒体よりも小径である第３のディスク状記録媒体を装填、記録、再生可能で、前記第１または第２のディスク状記録媒体を装置内に引き込み、ディスク装着部に装着するディスク装着手段と、装着した前記ディスク状記録媒体を回転させるディスク回転手段と、前記ディスク状記録媒体に記憶された情報を光学的に読み取るピックアップと、前記ピックアップを前記ディスク状記録媒体の半径方向に移動させるピックアプ移動手段と、
を有する光ディスク装置において、前記ディスク回転手段を非回転状態で、前記ピックアップを前記ピックアップ移動手段を制御してディスク状記録媒体の内周付近に移動させ、前記ピックアップによりフォーカスサーチを行い、前記ディスク状記録媒体の内周部の記録データ面の有無を検出し、前記内周部のデータ面を検出した場合には、前記ディスク回転手段を非回転状態で、前記ピックアップを前記ピックアップ移動手段を制御してディスク状記録媒体の外周付近に移動させ、前記ピックアップによりフォーカスサーチを行い、前記ディスク状記録媒体の外周部の記録データ面の有無を検出し、前記内周部のデータ面を検出した場合には更に、前記ディスク回転手段を回転させてその加速状態によりディスク状記録媒体が第１または第２の標準径ディスク状記録媒体であるか、第３の小径ディスク状記録媒体であるかを検出し、前記内周部のデータ面無し、を検出した場合にはディスク無し、前記内周部のデータ面有りを検出しかつ、前記外周部のデータ面有りを検出した場合には前記第１のディスク状記録媒体が装填されたことを、前記内周部のデータ面有りを検出しかつ、前記外周部のデータ面無し、を検出しかつ、前記標準径ディスク状記録媒体であることを検出した場合には前記第２のディスク状記録媒体が装填されたことを、前記内周部のデータ面有りを検出しかつ、前記外周部のデータ面無し、を検出しかつ、前記小径ディスク状記録媒体であることを検出した場合には前記第３のディスク状記録媒体が装填されたことを判別することにより、ディスク状記憶媒体を非回転状態で、内周付近、及びアダプタに対向する外周付近でデータ面の有無を検出し、内周付近でデータ面を検出した場合には更にディスク回転手段を回転させてディスクのイナーシャを測定することによりディスクの有無および、ディスクが第1、第２、第３のディスク状記録媒体のいずれであるかを判別するので、複雑な処理を必要とすることなく、高速に、ピックアップのアクチュエータコイルを損傷することなく、ディスク径及びアダプタ装着ディスクを判別する用途に有効である。
【図面の簡単な説明】
【０１０６】
【図１】本発明を、Ｂｌｕ−Ｒａｙディスク装置に適用した場合のブロック図
【図２】ＣＤ、ＤＶＤ単層、ＤＶＤ２層のディスク構造を示す図
【図３】Ｂｌｕ−Ｒａｙ１層、２層ディスクの構造を示す図
【図４】本発明を Ｂｌｕ−Ｒａｙディスク装置に適用した場合のディスク判別の動作を示すフローチャート
【図５】本発明の実施の形態１に記載の発明をＢｌｕ−Ｒａｙディスク装置に適用した場合の起動処理の動作を示すフローチャート
【図６】各種ディスクをＢｌｕ−Ｒａｙレーザーでフォーカスサーチした場合のフォーカスエラー信号波形の図
【図７】各種ディスクをＣＤレーザーでフォーカスサーチした場合のフォーカスエラー信号波形の図
【図８】本発明の実施の形態２に記載の発明をＢｌｕ−Ｒａｙディスク記録再生装置に適用した場合の起動手順を示すフローチャート
【符号の説明】
【０１０７】
１０１  ディスク状記録媒体
１０２  ディスク装着手段
１０３  ディスク回転手段
１０４  ターンテーブル
１０５  ラチェット
１０６  スピンドル制御回路
１０７  ピックアップ
１０８  ＣＤ、ＤＶＤレーザー制御回路
１０９  ＣＤ，ＤＶＤ２波長レーザーダイオード
１１０  ＣＤ、ＤＶＤ用カップリングレンズ
１１１  ＢＤ用カップリングレンズ
１１２  ＢＤレーザーダイオード
１１３  ＢＤレーザー制御回路
１１４  ＢＤ球面収差補正用レンズ
１１５  架台
１１６  ＣＤ、ＤＶＤ用ハーフミラー
１１７  ＢＤ用ハーフミラー
１１８  ＣＤ、ＤＶＤ用対物レンズ
１１９  ＢＤ用対物レンズ
１２０  ＣＤ、ＤＶＤ用受光素子
１２１  ＢＤ用受光素子
１２２  フォーカス駆動手段
１２３  トラッキング駆動回路
１２４  球面収差補正回路
１２５  信号処理回路
１２６  制御回路
１２７  ＣＰＵ
１２８  チルト駆動回路
１３０  アダプタ装着ディスク判別手段
１３１  起動処理中断手段
２０２  信号面（ＣＤ）
２３０  反射層（ＣＤ）
２２２  信号面（ＤＶＤ１層）
２２３  反射層（ＤＶＤ１層）
２３２  第１信号面（ＤＶＤ２層）
２３３  第１反射層（ＤＶＤ２層）
２３４  第２信号面（ＤＶＤ２層）
２３５  第２反射層（ＤＶＤ２層）
３００  ディスク表面（Ｂｌｕ−Ｒａｙ１層）
３０２  信号面（Ｂｌｕ−Ｒａｙ１層）
３０３  反射層（Ｂｌｕ−Ｒａｙ１層）
３１２  第１信号面（Ｂｌｕ−Ｒａｙ２層）
３１３  第１反射層（Ｂｌｕ−Ｒａｙ２層）
３１４  第２信号面（Ｂｌｕ−Ｒａｙ２層）
３１５  第２反射層（Ｂｌｕ−Ｒａｙ２層）
【図１】
2009015939.tif 000003
【図２】
2009015939.tif 000004
【図３】
2009015939.tif 000005
【図４】
2009015939.tif 000006
【図５】
2009015939.tif 000007
【図６】
2009015939.tif 000008
【図７】
2009015939.tif 000009
【図８】
2009015939.tif 000010